(57)【要約】【課題】原子炉発電所内において精密機器に誤作動などの悪影響を与えることがなく、防爆地域でも安心して使用することができる小型軽量の集塵装置を提供する。【解決手段】エアモータ式集塵装置（１）は、空気吸込み口（１２）及び空気吐出し口（１４）を供える本体（１０）と、本体（１０）の内部で空気吸込み口（１２）側に配設されたフィルタ（３０）と、フィルタ（３０）及び空気吐出し口（１４）の間に配設され、エアモータ（４０）で駆動されるファン（６０）と、を備える。【選択図】図１
2011007549.tif 000002
【特許請求の範囲】
【請求項１】
空気吸込み口及び空気吐出し口を供える本体と、
該本体の内部で前記空気吸込み口側に配設されたフィルタと、
該フィルタ及び前記空気吐出し口の間に配設され、エアモータで駆動されるファンと、を備えるエアモータ式集塵装置。
【請求項２】
前記エアモータを駆動した動力エアのエア排気口は、前記本体の外周部に配設されている、請求項１に記載のエアモータ式集塵装置。
【請求項３】
前記本体の外周部に供給エアのエア接続口を配設し、前記エアモータの動力エア導入用のエア導入口と、前記本体に配設された前記エア接続口とを可撓性ホースで接続する、請求項１または２に記載のエアモータ式集塵装置。
【請求項４】
前記エア接続口と前記可撓性ホースとの間に、供給エアの圧力及び前記ファンに送る動力エアの圧力を管理する圧力ゲージと、
前記ファンの使用限度以上の圧力の動力エアが前記エア接続口から前記ファンに送られることを防ぐための安全弁と、を備える、請求項３に記載のエアモータ式集塵装置。
【発明の詳細な説明】
【技術分野】
【０００１】
本発明は、埃や塵などの粉塵を集める集塵装置に関し、特に、原子力発電所内で使用可能な集塵装置に関する。
【背景技術】
【０００２】
原子力発電所では、様々な所に断熱部材が使用されているが、特に、原子炉から延出するように配設された配管内には高温高圧流体が流れるため、従来より配管の外周りにはこの配管を断熱保温する断熱部材が被覆されている。断熱部材としては、一般的に、ロックウール等の繊維質保温材あるいは珪酸カルシウム等の成形保温材からなる保温材、あるいはこれらの石綿含有製品または石綿製品が施されている。
【０００３】
この原子力発電所の配管や設備機器、あるいは建造物のメインテナンス工事や解体工事等に伴い、断熱部材を除去する場合がある。断熱部材を除去する際には埃や塵などの粉塵が発生し、特に石綿を使用した断熱部材の場合等には、集塵装置を用いて石綿の粉塵を確実に除去する必要がある。現在、集塵装置として一般的に用いられているものとしては、例えば、箱型の本体内部に、フィルタと、電気モータで作動するファンとを取り付けた集塵装置で、フィルタへ空気を引き出す遠心力を利用した電動モータ式ものが知られている（例えば、非特許文献１参照。）。
【先行技術文献】
【非特許文献】
【０００４】
【非特許文献１】ＦＯＲＣＥ  ＡＩＲ  ２０００ＥＣ  負圧機  仕様書
【発明の概要】
【発明が解決しようとする課題】
【０００５】
しかしながら、原子力発電所内では、原子炉の制御やその他の管理のため多数の精密機器が使用されているため、上述した電動モータ式の集塵装置では、電動モータから発生する電磁波による電気ノイズにより種々の精密機器が誤作動を起こしてしまうという悪影響を及ぼすことが考えられた。
【０００６】
また、清掃作業の際に溶剤などを用いて洗浄した場合には、気化したガスが充満することが考えられ、電動モータに起因して火花が生じると火災に繋がってしまうということも考えられた。
【０００７】
一方、原子炉付近の放射線管理区域は、原子炉から延出するように多数の配管が入り組んで配設されており、断熱部材の除去作業が非常に狭い箇所に限られてしまうという条件と、運搬する必要があるという条件とを考えると、集塵装置を可能な限りコンパクトで軽量なものにする必要があった。
【０００８】
従って、本発明は、上述した従来の技術の問題を解決するためになされたもので、原子炉発電所内において精密機器に誤作動などの悪影響を与えることがなく、防爆地域でも安心して使用することのできる小型軽量の集塵装置を提供することを主な目的とするものである。
【課題を解決するための手段】
【０００９】
上述の目的を達成するため、請求項１に記載の本発明は、空気吸込み口及び空気吐出し口を供える本体と、該本体の内部で前記空気吸込み口側に配設されたフィルタと、該フィルタ及び前記空気吐出し口の間に配設され、エアモータで駆動されるファンと、を備えるエアモータ式集塵装置を提供することを特徴としている。
【００１０】
また、前記エアモータを駆動した動力エアのエア排気口を前記本体の外周部に配設することも好ましい。さらに、前記本体の外周部に供給エアのエア接続口を配設し、前記エアモータの動力エア導入用のエア導入口と、前記本体に配設された前記エア接続口とを可撓性ホースで接続することも望ましい。またさらに、前記エア接続口と前記可撓性ホースとの間に、供給エアの圧力及び前記ファンに送る動力エアの圧力を管理する圧力ゲージと、前記ファンの使用限度以上の圧力の動力エアが前記エア接続口から前記ファンに送られることを防ぐための安全弁とを設けることもできる。
【発明の効果】
【００１１】
フィルタを介して空気を吸引するファンの駆動源としてエアモータを使用することにより、精密機器に誤作動を起こさせる悪影響を与える電磁波によるノイズを発生することがなく、また、エアモータがエアで作動し電気や燃料を使用したいため放射性管理区域などの防爆地域でも安心して使用することができる。
【図面の簡単な説明】
【００１２】
【図１】本発明に係るエアモータ式集塵装置の概略を示す側面図である。
【図２】フィルタを外した状態で、空気吸込み側からファンを見た概要図である。
【図３】エアモータ式集塵装置の空気吐出し側から見た概要図である。
【図４】操作パネルの詳細を示す拡大図である。
【発明を実施するための形態】
【００１３】
次に、本発明の好適な実施の形態を、添付図面を参照しながら説明するが、図中、同一符号は、同一又は対応部分を示すものとする。
【実施例】
【００１４】
図１は、本発明に係るエアモータ式集塵装置１の概略を示す側面図である。エアモータ式集塵装置１は、概して、空気吸込み口１２と、空気吐出し口１４とを備える本体１０と、この本体１０の内部で空気吸込み口１２側に配設されたフィルタ３０と、このフィルタ３０と空気吐出し口１４との間に配設され、エアモータ４０で駆動されるファン６０とを備えている。以下に、エアモータ式集塵装置１の詳細を説明する。
【００１５】
本体１０は、箱型であり、空気吸込み口１２側に開閉扉１６が開閉自在に取り付けられている。この開閉扉１６には、格子状に穴（図示せず）が開けられており、空気吸込み口１２が画成されている。開閉扉１６とは反対側の空気吐出し口１４側は、図３に示すように、塞がれており、一部に適宜な形状の穴部１８を穿設し、その内側に金網２０を取り付けることにより、空気吐出し口１４を画成している。なお、金網２０は、箱型の本体１０の内側と外側のどちらに取り付けてもかまわない。一方、箱型の本体１０の下側には、エアモータ式集塵装置１の移動を容易にするために、車輪６が複数個、この実施例の場合には、４個、回転自在に取り付けられている。
【００１６】
箱型の本体１０の内部には、空気吸込み口１２側の開閉扉１６の内側に、矩形のフィルタ３０が着脱自在に取り付けられており、適宜図示しない固定手段により本体１０内で動かないように固定されている。フィルタ３０は、３層からなり、空気吸込み口１２側から一次フィルタ３２、二次フィルタ３４、そしてＨＥＰＡフィルタ３６となっている。一次フィルタ３２は、１０ミクロン以上の比較的大きな粒子を取り除くもので、それによって、二次フィルタ３４及びＨＥＰＡフィルタ３６が直ぐに詰まってしまうのを防ぐことができる。二次フィルタ３４は、１ミクロン以上の粒子を空気中から取り除くもので、これにより、高価なＨＥＰＡフィルタ３６が直ぐに詰まってしまうのを防ぐことができる。最後のＨＥＰＡフィルタ３６は、このエアモータ式集塵装置１の内部を流れる空気中からより小さなサイズの石綿繊維を濾過し、０．３ミクロン以上の粒子をほぼ９９．９７％取り除くことができる。
【００１７】
本体１０の内部には、さらに、フィルタ３０と空気吐出し口１４との間に、エアモータ４０で駆動されるファン６０が取り付けられている。ファン６０は、エアモータ４０によって回転可能に軸支された６枚の羽根６２（図面では５枚のみ図示）と、これらの羽根６２とエアモータ４０とを取り囲むような円筒状の本体部６４とからなっている。ファン６０は、本体１０内部で横置きに設置されており、ファン６０が駆動した際に、空気吸込み口１２から空気吐出し口１４に向かって、空気が流れるようになっている。ファン６０の本体部６４は、エアモータ式集塵装置１の本体１０に配設された台座２２に防振ゴム２４を介して固定されている。また、ファン６０の本体部６４の正面側、すなわち、空気吐出し口１４側と、この空気吐出し口１４が設けられた本体１０の壁面の内側との接触面には、パッキン２６が挟持されている。ファン６０を本体１０に直接接触させて固定すると、ファン６０の振動がエアモータ式集塵装置１に伝わり、騒音が発生する恐れがあるため、防振ゴム２４及びパッキン２６を用いることにより、騒音や振動が低減するように構成されている。
【００１８】
ファン６０を駆動するエアモータ４０には、エアモータ４０を駆動するための動力エアを導入するエア導入口４２と、駆動した後の動力エアを排出するためのエア排出口４４とが取り付けられている。一方、図４に示すように、エアモータ式集塵装置１の本体１０の一側面上部に取り付けられた操作パネル８０には、図示しないコンプレッサ等の空気供給源に適宜可撓性ホースで接続する供給エア接続口８２が設けられている。そして、図２から良く分かるように、供給エア接続口８２とエアモータ４０のエア導入口４２とは、可撓性ホース７０で接続されている。エアモータ４０のエア導入口４２は、ファン６０の本体部６４の側面を貫いて取り付けられているが、エアモータ式集塵装置１の本体１０の内部に設置した場合には、可撓性ホースを用いて空気供給源に接続するのが困難となる。そのため、可撓性ホース７０を用いて供給エア接続口８２にまで、エア導入口４２を延長することにより、外部の空気供給源との接続が容易になる。
【００１９】
また、操作パネル８０には、動力エア排気口８４が設けられており、エアモータ４０のエア排出口４４と可撓性ホース７２で接続されている。エアモータ４０のエア排出口４４もファン６０の本体部６４の側面を貫いて取り付けられているため、このままエアモータ式集塵装置１の本体１０の内部で使用すると、動力エアが本体１０の内部の空間Ｓに排気され、空間Ｓの送風に乱れが生じる。すなわち、ファン６０を作動させて空間Ｓを大気圧に対して負圧にすることにより、粉塵を含む空気をフィルタ３０を介して吸い込むものであるが、エアモータ４０から動力エアが空間Ｓに排気されると、空間Ｓの圧力分布が乱れ、集塵することができなる。そのためエア排出口４４を可撓性ホース７２で動力エア排気口８４に接続することにより、動力エアの排気を本体１０の外部に導くようにしたものである。
【００２０】
図４を参照するに、操作パネル８０には、供給エアの圧力を管理する圧力ゲージ８６と、エアモータ４０へ供給する動力エアの圧力を管理する圧力ゲージ８９を備えた圧力調整バルブ８８とが取り付けられている。これらの圧力ゲージ８６と圧力調整バルブ８８とは、供給エア接続口８２と、ここからエアモータ４０のエア導入口４２とを接続する可撓性ホース７０との間に取り付けられている。空気圧縮機から送られてきた圧縮空気、すなわち供給エアの空気圧力や風量によって、粉塵を集塵する能力が異なってくるため、供給エア接続口８２に送られてきた供給エアを圧力調整バルブ８８により適正な流量に調整することで、エアモータ４０のエア導入口４２に送られる動力エアを調整する。また、ファン６０の使用限度を超える空気圧力の動力エアがエアモータ４０に供給された場合には、ファン６０が壊れてしまう恐れがあるため、供給エアの圧力とファン６０のエアモータ４０に送られる動力エアの圧力とを圧力ゲージ８６及び８９で管理することができ、さらに、使用限度以上の圧力の動力エアが送られることを防ぐために、安全弁９０が取り付けられている。
【００２１】
また、操作パネル８０には、エアモータ式集塵装置１の本体内部の空間Ｓの真空度を表示するマノメータ９２が取り付けられている。マノメータ９２は、空間Ｓの真空度を測ることにより、ファイル３０の交換の目安に用いることができる。予め実験などで数値を計測し、一定以上の値を指したらフィルタ３０が目詰まりをおこしているとしてフィルタ３０を交換する。さらに、操作パネル８０には、エアモータ４０の焼け付きを防ぐためのオイルを入れたルブリケータ９４が取り付けられており、定期的にオイルの残量を確認し、少なければ補充することができるようになっている。また、粉塵を含む空気が湿っていたりすると、エアフィルタ９６の下部にドレン（水）が溜まるため、満水になる前にフィルタを取り外し、ドレンを捨てることができるようになっている。
【００２２】
以上のように構成されたエアモータ式集塵装置１の取り扱いを説明する。原子力発電所の内部において断熱部材を除去する作業にこのエアモータ式集塵装置１を移動させる。この際、本体１０の下部に車輪６が取り付けてあり、装置自体も軽量小型化してあるため、容易に作業場所まで運搬することができる。次に、本体１０の操作パネル８０に配設された供給エア接続口８２を可撓性ホースを介して空気圧縮機（図示せず）に接続する。この場合にも、本体１０の外側に供給エア接続口８２を設けたため、可撓性ホースの接続がワンタッチの簡単操作で行えるため、圧力調整バルブ８８を開けば直ぐにエアモータ式集塵装置１を始動することができる。空気圧縮機を作動させた後、圧力調整バルブ８８により動力エアを適正な流量に調節し、エアモータ４０を作動させファン６０を駆動する。ファン６０が作動すると、本体１０の空気吸込み口１２から粉塵を含む空気が本体１０の内部に吸い込まれ、一次フィルタ３２、二次フィルタ３４、ＨＥＰＡフィルタ３６からなる３層のフィルタ３０を通過して粉塵が除去され、残りの空気が空気吐出し口１４から吐き出され、集塵作業を行うことができる。
【００２３】
このエアモータ式集塵装置１の作動中、ファン６０がエアモータ４０により駆動されるため、電気モータのように電磁波によるノイズを発生することがなく、その結果、原子力発電所内にある精密機器（電子機器）へ悪影響を及ぼすことがなく、これらの精密機器が誤作動を起こす恐れがない。また、エアモータ４０を用いることにより、電気や燃料を使用しないため、放射性管理区域などの防爆地域でも安心して使用することができる。
【符号の説明】
【００２４】
１    エアモータ式集塵装置
１０    本体
１２    空気吸込み口
１４    空気吐出し口
３０    フィルタ
４０    エアモータ
４２    エア導入口
４４    エア排出口
６０    ファン
８０    操作パネル
８２    供給エア接続口
８４    動力エア排気口
８６    圧力ゲージ
８８    圧力調整バルブ
８９    圧力ゲージ
９０    安全弁
Ｓ      空間
【図１】
2011007549.tif 000003
【図２】
2011007549.tif 000004
【図３】
2011007549.tif 000005
【図４】
2011007549.tif 000006